(57)【要約】【課題】  哺乳瓶の腹部膨張疾患防止用の構造を提供すること。【解決手段】  瓶体中にフロー・ガイド・ブロック（４）とエア・コレクト・チューブ（５）を配設し、そのフロー・ガイド・メカニズムは、蓋体（２）と乳首（３）との下方の哺乳瓶の瓶体（１）内に配設され、その瓶体（１）内の内室（１１）のスペースが一方向循環流通の形態になり、フロー・ガイド・ブロック（４）がほぼホイール状に形成され、そのフロー・ガイド・ブロックの周辺部が環状に形成され、その上端部にはフランジ（４１）が形成され、そのフロー・ガイド・ブロックの中央部には柱体（４６）が設けられ、その柱体の中央部には出口（４３）が形成され、その中間柱体が周辺部に接される輻射方向のリンク・ロッド同士（４５）にサポートされ、その入口（４２）がフロー・ガイド・ブロックの周辺部に配設される。【選択図】  図２
0003105120.tif 000002
【実用新案登録請求の範囲】
【請求項１】
フロー・ガイド・ブロックと、エア・コレクト・チューブとを有し、それらのフロー・ガイド・ブロックとエア・コレクト・チューブとが乳首と哺乳瓶の瓶体との間に配設され、且つ前記のフロー・ガイド・ブロックがほぼホイール状に形成され、その周辺部がチューブ状に形成され、その上端部にはフランジが形成され、且つ前記のフロー・ガイド・ブロックの中央部には上向けて突出する柱体が配設され、その柱体の中間部には出口が形成され、前記の柱体が周辺部における輻射方向のリンク・ロッド同士と接され、それらのリンク・ロッド同士が中空状に形成されるとともに、その出口端が前記のフロー・ガイド・ブロックの周辺部に配設され、その出口が入口と連通するように設定され、フロー・ガイド・ブロックの周辺部と中間柱体とリンク・ロッド同士との間には上下方へ貫通する回流孔が形成され、そのフロー・ガイド・ブロックの下方にはエア・コレクト・チューブがつけられ、そのエア・コレクト・チューブの上端部がエア収集室として大きい仕様に形成され、そのチューブの細いほうの下端部が瓶体の底部まで差し込まれ、前記のフロー・ガイド・ブロックとエア・コレクト・チューブとによって瓶体の中のフロー・ガイド・メカニズムを形成し、乳首の孔部より吸い込まれるエアが浮き上がるようにガイドされるように設定されることを特徴とする、
哺乳瓶の腹部膨張疾患防止用の構造。
【請求項２】
前記フロー・ガイド・ブロックのリンク・ロッドが一本以上の複数のものを採用することを特徴とする、
請求項１に記載の哺乳瓶の腹部膨張疾患防止用の構造。
【考案の詳細な説明】
【技術分野】
【０００１】
本考案は、エアが液体の中において自動的に高所へ浮き上がることができることの原理を利用して、哺乳瓶の中に一方向回流メカニズムを配設することによって、乳首より回流することによって導入されるエアが、乳製品に混入されて腹部膨張の疾患を引き起こすことを防止することができる哺乳瓶の構造に関するものである。
【背景技術】
【０００２】
従来の哺乳瓶は、その瓶体内のスペースが単一のスペースであり、乳首の底端部には気孔が設けられていたが、幼児が哺乳瓶を使用して乳製品を飲用する場合に、その吸い込み後に乳首を放す瞬間、エアが迅速的に一気に乳首の孔部より瓶体内に入り込み、その瓶体内に入り込んだエアが漸次的に浮き上がる気泡を形成し、その一部の気泡は再び吸い込む動作により、強力な潮流に引き下げられて幼児の腹部に吸い込まれ、腹部膨張疾患を引き起こすことがあった。そのため、毎度幼児に乳製品を飲用させた後、その背中を叩くことによって進入したエアを排気させる必要があり、哺乳瓶業者の数年来の積極的に改善しようとする課題となっている。
【考案の開示】
【考案が解決しようとする課題】
【０００３】
哺乳後に、幼児の背中を叩くことは、長い間の初めて父母になる人々にとって、修業しなければならない課題となっており、幼児の腹部中に吸い込まれるエアを排気できない場合には、幼児が腹痛により泣き出すことがある。近年では、複数のデザイナーがこの課題を克服するために研究開発を努力してきたが、大部分がその焦点を如何に哺乳瓶のエア導入孔のエアのガイドの特性を順調にすることに集中していた。
しかしながら、哺乳瓶の乳首を噛んで吸い終わってから、それを放つ瞬間である乳首が原状に復元する中途では、エアが迅速的に一時に打開中の孔部より瓶体内に吸い込まれ、その瓶体内に吸い込まれるエアが気泡になり、それから漸次的に液体の中で浮き上がって、やはり腹部膨張疾患を防止するという課題は残されたままであった。
【課題を解決するための手段】
【０００４】
本考案の哺乳瓶の腹部膨張疾患防止用の構造は、フロー・ガイド・ブロックと、エア・コレクト・チューブとを有し、且つそれらのフロー・ガイド・ブロックとエア・コレクト・チューブとが乳首と哺乳瓶の瓶体との間に配設され、且つ前記のフロー・ガイド・ブロックがほぼホイール状に形成され、その周辺部がチューブ状に形成され、その上端部にはフランジが形成され、且つ前記のフロー・ガイド・ブロックの中央部には上向けて突出する柱体が配設され、その柱体の中間部には出口が形成され、前記の柱体が周辺部における輻射方向のリンク・ロッド同士と接され、それらのリンク・ロッド同士が中空状に形成されるとともに、その出口端が前記のフロー・ガイド・ブロックの周辺部に配設され、その出口が入口と連通するように設定され、また、フロー・ガイド・ブロックの周辺部と中間柱体とリンク・ロッド同士との間には上下方へ貫通する回流孔が形成され、そのフロー・ガイド・ブロックの下方にはエア・コレクト・チューブがつけられ、そのエア・コレクト・チューブの上端部がエア収集室として大きい仕様に形成され、そのチューブの細いほうの下端部が瓶体の底部まで差し込まれ、前記のフロー・ガイド・ブロックとエア・コレクト・チューブとによって瓶体の中のフロー・ガイド・メカニズムを形成し、乳首の孔部より吸い込まれるエアが浮き上がるようにガイドされるように設定されることを特徴とする。
【０００５】
また、本考案の哺乳瓶の腹部膨張疾患防止用の構造は、前記した哺乳瓶の腹部膨張疾患防止用の構造において、前記フロー・ガイド・ブロックのリンク・ロッドが一本以上の複数のものを採用することを特徴としている。
【考案の効果】
【０００６】
本考案は、哺乳瓶中に一方向の回流メカニズムを形成させることによって、乳首より吸い込まれるエアが液体より離脱する時間が充分にあり、液体に混入されるエアが幼児の腹部に吸い込まれるのを回避することができる。これによって、腹部膨張疾患を引き起こし難くすることができる。
【考案を実施するための最良の形態】
【０００７】
以下に、添付図面を参照しながら本考案の優れる実施の形態を具体的に説明する。
【０００８】
本考案の構造を有する哺乳瓶は、まず図１に示すように、その外見においては、瓶体（１）と、蓋体（２）と、乳首（３）などは従来の哺乳瓶と同じである。しかしながら、その瓶体内にユニックなフロー・ガイド・メカニズムを配置することが、従来物の構造より優れる点である。
【０００９】
また、図２は、本考案の実施の形態を示す分解斜視図であり、前記に言及したユニックなフロー・ガイド・メカニズムは、瓶体中にフロー・ガイド・ブロック（４）とエア・コレクト・チューブ（５）を配設することをそのポイントである。
前記のフロー・ガイド・メカニズムは、蓋体（２）と乳首（３）との下方の哺乳瓶の瓶体（１）内に配設され、その瓶体（１）内の内室（１１）のスペースが一方向循環流通の形態になり、その中では、フロー・ガイド・ブロック（４）がほぼホイール状に形成され、また、そのフロー・ガイド・ブロックの周辺部が環状に形成され、その上端部にはフランジ（４１）が形成され、そのフロー・ガイド・ブロックの中央部には上向けて突出する柱体（４６）が設けられ、その柱体の中央部には上向けて出口（４３）が形成され、その中間柱体が周辺部に接される輻射方向のリンク・ロッド同士（４５）にサポートされている。そのリンク・ロッドは中空状に形成され、その入口（４２）がフロー・ガイド・ブロックの周辺部に配設され、前記の出口（４３）と前記の入口（４２）とが連通されている。
また、前記のリンク・ロッド（４５）は、一本または一本以上の多数本を採用することができる。
また、フロー・ガイド・ブロックの周辺部と前記の中間柱体（４６）と前記のリンク・ロッド同士（４５）との間には、上下方へ貫通する回流孔（４４）が形成され、それらの回流孔の数量については、リンク・ロッド同士の数量にしたがって決められる。
また、フロー・ガイド・ブロック（４）の下方にはエア・コレクト・チューブ（５）が配設され、その小径の下端部が瓶体の底部まで差し込まれるように配設する。
【００１０】
また、図３は、本考案の腹部膨張疾患防止用の装置の組み立て後の構成を示す断面図である。図３の断面位置は、図４の平面図に標記されたものを示すものである。
哺乳瓶中のスペースは、乳首（３）と瓶体の内室（１１）からなり、その間にはフロー・ガイド・ブロック（４）を仕切り手段とし、フロー・ガイド・ブロックの下方にはエア・コレクト・チューブ（５）が配置され、図に示すエア・コレクト・チューブの下端部が瓶体の内室（１１）の底端部に近づき、且つ内室（１１）がフロー・ガイド・ブロック（４）の周辺部の入口（４２）がリンク・ロッド（４５）の中間孔部が出口（４３）まで連通され、その出口（４３）が乳首（３）の中空状内部に延伸されている。他に、フロー・ガイド・ブロック（４）における回流孔（４４）が入口（４２）より低い位置から、乳首（３）からエア・コレクト・チューブのエア収集室（５１）までのスペースに連通され、また、エア・コレクト・チューブの下段部に沿って瓶体の内室（１１）の底端部まで連通される。
【００１１】
幼児が哺乳瓶を使用して乳製品を飲用する場合、図５に示すようになる。吸い込みと乳首を放す動作との間に、乳首の孔部（３１）よりエアが迅速的に進入し、気泡（B）を形成する。その気泡は、液体（M）より軽いため、高いほうの縁部に沿って浮き上がり、それとともに、それの放つ期間に気泡（B）が快速的に回流孔（４４）を通過し、エア・コレクト・チューブのエア収集室（５１）に進入し、それから漸次的に集結し、且つ漸次的に浮き上がり続く。再び吸い込みを実行する場合に、気泡を含まない液体がフロー・ガイド・ブロックの周辺部の入口（４２）より導入され、また、中央柱体の出口（４３）より直接的に乳首の孔部（３１）へ流動してゆく。
【図面の簡単な説明】
【００１２】
【図１】本考案の実施の形態を示す外見斜視図である。
【図２】本考案の実施の形態を示す分解斜視図である。
【図３】本考案の実施の形態の構成を示す断面図である。
【図４】図３に示す断面図の切断位置を表した図である。
【図５】本考案の使用状態を示す説明図である。
【符号の説明】
【００１３】
１      瓶体
２      蓋体
３      乳首
４      フロー・ガイド・ブロック
５      エア・コレクト・チューブ
１１    内室
３１    乳首の孔部
４１    フランジ
４２    入口
４３    出口
４４    回流孔
４５    リンク・ロッド
４６    柱体
５１    エア収集室
B        気泡
M        飲料
【図１】
0003105120.tif 000003
【図２】
0003105120.tif 000004
【図３】
0003105120.tif 000005
【図４】
0003105120.tif 000006
【図５】
0003105120.tif 000007